(57)【要約】【課題】簡便な操作で特殊モードに移行できる記憶媒体再生装置を提供する。【解決手段】筐体１１に形成された挿入口１２への記憶媒体ＣＤの挿入を検出する媒体センサ１６ａ〜１６ｄと、挿入口に挿入された記憶媒体を読み込み位置まで搬送する搬送機構１４，１５と、媒体センサが挿入口への記憶媒体の挿入を検出すると搬送機構を作動して記憶媒体を読み込み位置まで搬送する制御手段１７と、を有する記憶媒体再生装置１において、制御手段１７は、媒体センサが記憶媒体の挿入を検出したのち当該記憶媒体が読み込み位置に達する前に、媒体センサにより当該記憶媒体を検出できなくなった場合に、通常の起動モードとは異なる特殊モードで当該記憶媒体再生装置を作動させる。【選択図】  図２
2004234727.tif 000002
【特許請求の範囲】
【請求項１】
筐体に形成された挿入口への記憶媒体の挿入を検出する媒体センサと、前記挿入口に挿入された記憶媒体を読み込み位置まで搬送する搬送機構と、前記媒体センサが前記挿入口への記憶媒体の挿入を検出すると前記搬送機構を作動して前記記憶媒体を読み込み位置まで搬送する制御手段と、を有する記憶媒体再生装置において、
前記制御手段は、前記媒体センサが記憶媒体の挿入を検出したのち当該記憶媒体が読み込み位置に達する前に、前記媒体センサにより当該記憶媒体を検出できなくなった場合に、通常の起動モードとは異なる特殊モードで当該記憶媒体再生装置を作動させることを特徴とする記憶媒体再生装置。
【請求項２】
前記記憶媒体はコンパクトディスクであり、前記記憶媒体再生装置は車載オーディオ装置である請求項１記載の記憶媒体再生装置。
【請求項３】
前記特殊モードが、当該記憶媒体再生装置の自己診断モードである請求項１または２記載の記憶媒体再生装置。
【発明の詳細な説明】
【０００１】
【技術分野】
本発明は、自己診断等の特殊モード機能を有する記憶媒体再生装置に関し、特に簡便な操作で特殊モードに移行できる記憶媒体再生装置に関する。
【０００２】
【背景技術】
車載オーディオ装置などの電子機器においては、一般に自己診断モード機能を有しているが、この自己診断モードは、メーカーの製造工程やサービス工場などにおいて当該電子機器の検査、故障解析あるいは調整等を行うために設けられたものであり、当該電子機器内のたとえば不揮発性メモリに記憶された特定のソフトウェアが起動・実行されることにより動作する。
【０００３】
特許文献１においては、意図しない自己診断モードへの移行を防止するために、複数の操作ボタンを同時に押すことで通常の起動モードから自己診断モードへの切り替えることが提案されている。
【０００４】
しかしながら、特許文献１の手法では、操作ボタンの多重押し操作にて自己診断モードへ移行する構成であるため、操作が複雑である。また、車載オーディオの操作ボタンは多種多様となっているので、操作ボタンの多重押し操作が車両毎に相違するといった問題があった。
【０００５】
【特許文献１】特開２００２−２４４８７８号公報
【０００６】
【発明の開示】
本発明は、簡便な操作で特殊モードに移行できる記憶媒体再生装置を提供することを目的とする。
【０００７】
上記目的を達成するために、本発明によれば、筐体に形成された挿入口への記憶媒体の挿入を検出する媒体センサと、前記挿入口に挿入された記憶媒体を読み込み位置まで搬送する搬送機構と、前記媒体センサが前記挿入口への記憶媒体の挿入を検出すると前記搬送機構を作動して前記記憶媒体を読み込み位置まで搬送する制御手段と、を有する記憶媒体再生装置において、前記制御手段は、前記媒体センサが記憶媒体の挿入を検出したのち当該記憶媒体が読み込み位置に達する前に、前記媒体センサにより当該記憶媒体を検出できなくなった場合に、通常の起動モードとは異なる特殊モードで当該記憶媒体再生装置を作動させることを特徴とする記憶媒体再生装置が提供される。
【０００８】
本発明では、特殊モードへ移行したい場合には、記憶媒体を挿入口に挿入したのち、これが読み込み位置に達する前に挿入口から引き抜く。これにより、媒体センサは記憶媒体を検出できない状態となり、制御手段からの指令によって特殊モードへ移行する。すなわち、本発明では操作ボタンの操作ではなく、記憶媒体自体を抜き差しすることで特殊モードへ移行することができるので、操作ボタンの多少に拘わらず、簡便な操作で特殊モードへ移行することができる。
【０００９】
【発明の実施の形態】
以下、本発明の実施形態を図面に基づいて説明する。
図１は本発明の実施形態に係る記憶媒体再生装置を示すブロック図、図２は本発明の実施形態に係る記憶媒体再生装置の動作を示すフローチャート、図３は本発明の実施形態に係る記憶媒体再生装置の構造を示す平面図及び側面図、図４は本発明の実施形態に係る記憶媒体再生装置の動作を説明するための斜視図である。
【００１０】
以下に説明する実施形態は、本発明に係る記憶媒体再生装置を、コンパクトディスク（以下、ＣＤともいう。）を再生するための車載オーディオ装置に応用したものである。
【００１１】
まず、本例のオーディオ装置１の構造を図３及び図４を参照しながら説明する。図４に示すように、本例のオーディオ装置１は、筐体１１を有し、この筐体１１の前面に記憶媒体であるＣＤを挿入するための挿入口１２が形成されている。また、筐体１１の前面にはＣＤの内容や操作状況などを表示するためのディスプレイ１３が設けられている。
【００１２】
筐体１１の挿入口１２には、図３の左図の平面図及び右図の側面図に示すように、搬送機構の搬送用ローラ１４と、このローラ１４を回転させるモータ１５とが設けられている。搬送用ローラ１４は、筐体１１の挿入口１２の下面の中央に設けられ、筐体１１の挿入口１２の一方の側部に設けられたモータ１５が駆動することにより、搬送用ローラ１４がＣＤの裏面に当接し、当該ＣＤを筐体１１の内部の読み込み位置まで搬送する。
【００１３】
また、筐体１１の挿入口１２の左右には、合計４個の媒体センサ１６ａ，１６ｂ，１６ｃ，１６ｄが設けられており、挿入口１２に挿入されたＣＤを検出する。これら媒体センサ１６ａ〜１６ｄは、ＣＤを挿入口１２に挿入していく際に、まず最初に媒体センサ１６ａ，１６ｂがＣＤを検出し、次いで媒体センサ１６ｃがＣＤを検出し、最後に媒体センサ１６ｄがＣＤを検出する。こうしたＣＤの検出の時間的遅延を制御手段（図１参照）で判断することで、ＣＤが挿入口１２に挿入されているかどうかを判断することができる。
【００１４】
なお、図３左図において、下側の二点差線で示すＣＤ位置を挿入位置、上側の二点差線で示すＣＤ位置を読み込み位置と称する。
【００１５】
ＣＤ読み込み位置まで搬送用ローラ１４により搬送されると、図示しない媒体センサにてこれを検知し、当該ＣＤが読み込み位置にあることを車載オーディオ装置の制御回路へ送出する。これにより、通常再生モードにおいてＣＤのコンテンツの再生が開始されることになる。
【００１６】
本例の車載オーディオ装置１は、図１の要部ブロック図に示されるように、上述した媒体センサ１６ａ〜１６ｄと、オーディオ装置の再生機構１９や搬送機構１４，１５を含めて統括的に当該オーディオ装置１を制御する制御手段１７と、自己診断機能などの特殊モードを実行するためのプログラムが記憶されたメモリ１８とを有する。
【００１７】
媒体センサ１６ａ〜１６ｄは、ＣＤが挿入口１２に挿入されたことを検出し、これを制御手段１７に送出すると、制御手段１７は搬送機構のモータ１５を起動して搬送用ローラ１４を回転させる。これにより、筐体１１の挿入口１２に挿入されたＣＤは挿入位置から読み込み位置まで自動的に搬送される。そして、図示しない他の媒体センサによりＣＤが読み込み位置に達したことを検出すると、制御手段１７は再生機構１９を制御して、ＣＤのコンテンツの再生を開始する。
【００１８】
特に本実施形態の制御手段１７では、筐体１１の挿入口１２にＣＤを挿入し、搬送用ローラ１４にて読み込み位置まで搬送される前に、当該ＣＤを強制的に引き抜いた場合に、自己診断機能などを実行できる特殊モードに移行できるプログラムとしている。
【００１９】
この操作を図２に示すフローチャート及び図４を参照しながら説明する。
【００２０】
ユーザがＣＤを持って車載オーディオ装置１の挿入口１２へＣＤを挿入すると（図２のステップ１及び図４（Ａ），（Ｂ））、媒体センサ１６ａ〜１６ｄでこれを検出し、制御手段１７へ送出する（ステップ２）。ステップ２において、ＣＤの挿入が確認されると、制御手段１７は搬送機構のモータ１５を起動して搬送用ローラ１４を回転させ、これによりＣＤは挿入口１２から筐体１１内へ搬送される（ステップ３）。
【００２１】
ここで、ＣＤが挿入口１２の挿入位置から読み込み位置に達するまでの間に、ＣＤが引き抜かれることなく、読み込み位置に達すると（ステップ４）、制御手段１７は搬送機構を停止するとともに、再生機構を起動してＣＤのコンテンツの再生を開始する（ステップ５）。これが本例にいう通常再生モードである。
【００２２】
これに対して、ステップ４にて、ＣＤが挿入口１２の挿入位置から読み込み位置に達するまでの間に、ＣＤが引き抜かれて媒体センサ１６ａ〜１６ｄによりＣＤの存在検出がなくなると（図４（Ｃ））、ステップ６へ進み、再生機構を起動せずに、メモリ１８から自己診断機能のプログラムを読み出し、自己診断モードを立ち上げる。
【００２３】
この自己診断モードは、予め決められた手順で車載オーディオ装置１の内部機能を自動的またはユーザの操作によって自己診断し、故障個所が存在する場合にはディスプレイ１３に故障コードなどを表示するものである（図４（Ｄ））。通常はメーカの製造工程や自動車のサービス工場などで用いられる。
【００２４】
自己診断モードを終了すると（ステップ７）、自動的またはユーザの操作によってステップ１へ戻る。
【００２５】
このように、本実施形態の車載オーディオ装置１によれば、ＣＤを挿入口１２に挿入し、読み込み位置に達する前にこれを引き抜くといった簡便な操作のみによって、自己診断モードに移行させることができる。
【００２６】
また、ＣＤの挿入口の構造やＣＤを検出する媒体センサの構成は、殆どの車載オーディオ装置に共通しているので、図２に示す簡単なプログラムを制御手段１７に追加するだけで、あらゆるオーディオ装置に対し同じ操作で自己診断モードへの移行を行うことができる。
【００２７】
さらに、ＣＤの引き抜きを失敗したとしても通常再生モードが起動するだけであることから、ＣＤのエジェクトボタンを押して、再びＣＤを挿入し直せば自己診断モードへ移行することができる。すなわち、ＣＤの引き抜きを失敗しても他の機能が故障したりするといったことはない。
【００２８】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００２９】
上述した実施形態では、ＣＤ再生用の車載オーディオ装置を例に挙げたが、本発明の記憶媒体再生装置は、ＣＤ以外の媒体、たとえばＭＤやＬＤであっても適用することができ、またオーディオ装置以外の電子機器にも応用することができる。
【図面の簡単な説明】
【図１】本発明の実施形態に係る記憶媒体再生装置を示すブロック図である。
【図２】本発明の実施形態に係る記憶媒体再生装置の動作を示すフローチャートである。
【図３】本発明の実施形態に係る記憶媒体再生装置の構造を示す平面図及び側面図である。
【図４】本発明の実施形態に係る記憶媒体再生装置の動作を説明するための斜視図である。
【符号の説明】
１…車載オーディオ装置（記憶媒体再生装置）
１１…筐体
１２…挿入口
１３…ディスプレイ
１４…搬送用ローラ（搬送機構）
１５…モータ（搬送機構）
１６ａ〜１６ｄ…媒体センサ
１７…制御手段
１８…メモリ
１９…再生機構
【図１】
2004234727.tif 000003
【図２】
2004234727.tif 000004
【図３】
2004234727.tif 000005
【図４】
2004234727.tif 000006